(57)【特許請求の範囲】
【請求項１】
移動通信システムにおける基地局の電力関連メッセージを利用した移動局位置把握方法において、
制御局の呼び出し制御プロセッサが現在移動局が維持しているアクティブセット（ａｃｔｉｖｅ  ｓｅｔ）を検査する第１ステップと、
前記アクティブセットが３個の基地局に跨っているかを前記呼び出し制御プロセッサが判断する第２ステップと、
前記アクティブセットが跨っていなければ、現在のアクティブセットの周波数割当（ＦＡ）が隣接基地局の状態情報を読み出す第３ステップと、
前記呼び出し制御プロセッサが前記アクティブセットの周波数割当が利用可能であるかを判断する第４ステップと、
前記アクティブセットの周波数割当が利用可能であるならば、前記周波数割当のパイロット強度測定を要求するメッセージであるＰＳＭＲＯ（ｐｉｌｏｔ  ｓｔｒｅｎｇｔｈ  ｍｅｓｓａｇｅ  ｒｅｑｕｅｓｔ  ｏｒｄｅｒ）メッセージを伝送する第５ステップと、
パイロット強度測定結果に応じて複数の基地局をパイロット強度の順に整列して上位の３個の基地局を選択する第６ステップと、
前記３個の基地局にＰＵＦ（ｐｏｗｅｒ  ｕｐ  ｆｕｎｃｔｉｏｎ）パルスを受信する準備を指示する第７ステップと
を含むことを特徴とする基地局の電力関連メッセージを利用した移動局位置把握方法。
【請求項２】
前記第３ステップは、前記アクティブセットが３個の基地局に跨っていれば、前記３個の基地局にＰＵＦ（ｐｏｗｅｒ  ｕｐ  ｆｕｎｃｔｉｏｎ）パルスを受信する準備を指示し、前記移動局に前記ＰＵＦパルス伝送要求メッセージであるＰＵＦメッセージを伝送する第８ステップを含むことを特徴とする請求項１に記載の基地局の電力関連メッセージを利用した移動局位置把握方法。
【請求項３】
前記第７ステップは、アクティブされなかった２個の基地局に第１の新しいＰＵＦチャネルを割当て、前記３個の基地局にＰＵＦ（ｐｏｗｅｒ  ｕｐ  ｆｕｎｃｔｉｏｎ）パルスを受信する準備を指示する第９ステップをさらに含むことを特徴とする請求項１に記載の基地局の電力関連メッセージを利用した移動局位置把握方法。
【請求項４】
前記第５ステップで、前記呼び出し制御プロセッサは、現在のアクティブセットの周波数割当及び擬似ノイズを前記移動局にさらに伝送することを特徴とする請求項１に記載の基地局の電力関連メッセージを利用した移動局位置把握方法。
【請求項５】
前記第５ステップは、前記周波数割当が利用可能でなければ、全ての周辺基地局で利用可能な候補周波数を検索するように検索要求メッセージを前記移動局に伝送する第１０ステップをさらに含むことを特徴とする請求項１に記載の基地局の電力関連メッセージを利用した移動局位置把握方法。
【請求項６】
前記第１０ステップは、
候補周波数を検索した結果に応じてパイロット強度順に複数の基地局を整列し、上位の３個の基地局を選択する第１１ステップと、
前記第１１ステップで選択された３個の基地局が状態情報を読み出す第１２ステップと、
現在周波数割当がアクティブされて前記選択された３個の全ての基地局で利用可能であるかを検査する第１３ステップと、
前記現在周波数割当が利用可能であると判断されれば、アクティブされた基地局には、ＰＵＦパルスを受信する準備を指示し、残りのアクティブされなかった２個の基地局には、第２の新しいＰＵＦチャネルを割当て、ＰＵＦパルス伝送要求メッセージであるＰＵＦメッセージを移動局に伝送する第１４ステップと
を含むことを特徴とする請求項５に記載の基地局の電力関連メッセージを利用した移動局位置把握方法。
【請求項７】
前記第１４ステップは、
前記現在周波数割当が利用可能でないと判断されれば、前記選択された３個の基地局に全部利用可能な第３の新しいＰＵＦチャネルを前記選択された３個の基地局に割当て、前記３個の基地局には、ＰＵＦパルスを受信する準備を指示する第１５ステップをさらに含むことを特徴とする請求項６に記載の基地局の電力関連メッセージを利用した移動局位置把握方法。
【発明の詳細な説明】
【０００１】
【発明の属する技術分野】
本発明は、移動通信システムにおける移動局位置把握方法に関し、さらに詳細には、ＣＤＭＡやＰＣＳ移動通信システムでＩＳ−９５Ｂ規格により支援されるメッセージを利用して移動局の位置を把握するための方法に関する。
【０００２】
【従来の技術】
従来の移動局の位置を把握する方法は、位置登録メッセージを利用した方法が代表的であるが、この方法は、位置登録メッセージには該当するセル（Ｃｅｌｌ）情報やセクタ（Ｓｅｃｔｏｒ）情報等複数の情報を含んで位置を把握している。
【０００３】
しかし、このような加入者移動局の位置を把握する方法は、第一に、位置登録メッセージには該当セルやセクタ情報によって加入者の位置を検出する場合、実際測定距離と計算された距離との差によって大きく遅延されたメッセージが含まれているため、概略的に位置を把握することができるが、正確な位置を把握することは困難であり、第２に、位置登録メッセージは、移動局が決められた条件内のみで送信をするために、実時間的に位置を把握できないという問題がある。一例に、移動局は、周期的に電源供給時、または電源遮断時などの場合に位置登録メッセージを伝送する。
【０００４】
【発明が解決しようとする課題】
そこで、本発明は、上記のような従来の問題点を解決するためになされたものであって、その目的は、移動局が特定強度以上のＰＵＦパルス（ＰＵＦ  Ｐｕｌｓｅ）を基地局に送信するようにし、移動局が３個の基地局が作る領域内に位置するようにすることによって、より正確に位置把握をすることができ、安定的に移動局が送信したパルスを実時間で受信することのできる基地局システムのメッセージを利用した移動局位置把握装置及びその方法を提供することにある。
【０００５】
【課題を解決するための手段】
上記課題を解決するために、本発明は、移動通信システムにおける基地局の電力関連メッセージを利用した移動局位置把握方法において、制御局の呼び出し制御プロセッサが現在移動局が維持しているアクティブセット（ａｃｔｉｖｅ  ｓｅｔ）を検査する第１ステップと、前記アクティブセットが３個の基地局に跨っているかを前記呼び出し制御プロセッサが判断する第２ステップと、前記アクティブセットが跨っていなければ、現在のアクティブセットの周波数割当（ＦＡ）が隣接基地局の状態情報を読み出す第３ステップと、前記呼び出し制御プロセッサが前記アクティブセットの周波数割当が利用可能であるかを判断する第４ステップと、前記アクティブセットの周波数割当が利用可能であるならば、前記周波数割当のパイロット強度測定を要求するメッセージであるＰＳＭＲＯ（ｐｉｌｏｔ  ｓｔｒｅｎｇｔｈ  ｍｅｓｓａｇｅ  ｒｅｑｕｅｓｔ  ｏｒｄｅｒ）メッセージを伝送する第５ステップと、パイロット強度測定結果に応じて複数の基地局をパイロット強度の順に整列して上位の３個の基地局を選択する第６ステップと、前記３個の基地局にＰＵＦ（ｐｏｗｅｒ  ｕｐ  ｆｕｎｃｔｉｏｎ）パルスを受信する準備を指示する第７ステップとを含むことを特徴とする基地局の電力関連メッセージを利用した移動局位置把握方法が提供される。
【０００６】
【発明の実施の形態】
以下、当業者が本発明を容易に実施できるように、本発明を、好ましい実施の形態の図面を参照しながら説明する。
【０００７】
図１は、本発明に係る移動通信システムにおける移動局の位置把握方法を説明するためのブロック図である。
【０００８】
図１の移動通信システムは、位置サービスセンター（ＬＳＣ＝Ｌｏｃａｔｉｏｎ  Ｓｅｒｖｉｃｅ  Ｃｅｎｔｒｅ）１０と、移動交換機（ＭＳＣ＝Ｍｏｂｉｌｅ  Ｓｗｉｔｃｈｉｎｇ  Ｃｅｎｔｒｅ）２０と、制御局（ＢＳＣ＝Ｂａｓｅ  Ｓｔａｔｉｏｎ  Ｃｏｎｔｒｏｌｌｅｒ）３０と、基地局（ＢＴＳ＝Ｂａｓｅ  Ｔｒａｎｓｃｅｉｖｅｒ  Ｓｔａｔｉｏｎ）４０と、移動局（ＭＳ＝Ｍｏｂｉｌｅ  Ｓｔａｔｉｏｎ）５０とから構成される。
【０００９】
ステップＳ１１０で、位置サービスセンター１０は、移動交換機２０に移動局位置情報を要求し、ステップＳ１２０で、位置サービスセンター１０の要求に応じて移動交換機２０は、制御局３０に移動局位置情報を要請する。
【００１０】
ステップＳ１３０で、制御局３０は、位置情報のためのＰＵＦパルス（Ｐｏｗｅｒ  Ｕｐ  Ｆｕｎｃｔｉｏｎパルス）を受信する準備を基地局４０に指示する。
【００１１】
ステップＳ１４０で、制御局３０の指示に応答して、基地局４０は、基地局４０にＰＵＦパルスを送信するように要求メッセージであるＰＵＦメッセージを移動局５０に伝送する。
【００１２】
ステップＳ１５０で、移動局５０は決められた強度でＰＵＦパルスを基地局４０に送信する。
【００１３】
ステップＳ１６０で、基地局４０は、ＰＵＦパルスを受信し、これを利用してラウンドトリップ遅延（Ｒｏｕｎｄ  ｔｒｉｐ  Ｄｅｌａｙ）とパイロット強度等に関する情報を制御局３０に報告する。
【００１４】
ステップＳ１７０で、制御局３０は、これを移動交換機２０に報告する。
【００１５】
ステップＳ１８０で、移動交換機２０は、これを位置サービスセンター１０に伝送する。
【００１６】
図２〜図３は、本発明に係る移動局からのＰＵＦ（Ｐｏｗｅｒ  Ｕｐ  Ｆｕｎｃｔｉｏｎ）パルスを受信するための３個の基地局を選択する方法を説明するためのフローチャートである。
【００１７】
位置情報要求を受ければ、ステップＳ２１０で、制御局の呼び出し制御プロセッサ（ＣＣＰ＝Ｃａｌｌ  Ｃｏｎｔｒｏｌ  Ｐｒｏｃｅｓｓｏｒ）は、現在のアクティブセット（ａｃｔｉｖｅ  ｓｅｔ）を確認する。
【００１８】
ステップＳ２１５で、呼び出し制御プロセッサは、現在のアクティブセット（ａｃｔｉｖｅ  ｓｅｔ）が３個の基地局に跨っているかを検査して、もし跨っていなければ、ステップＳ２２０に進行し、もし跨っていれば、呼び出し制御プロセッサが該当する３個の基地局に全部利用可能な周波数割当（ＦＡ＝Ｆｒｅｑｕｅｎｃｙ  Ａｌｌｏｃａｔｉｏｎ）に関する周波数割当情報を３個の基地局に伝達し、上記３個の基地局にＰＵＦチャネルの割当を要請し、ＰＵＦパルスを受信する準備を指示するステップＳ２７０に進行する。
【００１９】
ステップＳ２２０で、現在のアクティブセットの周波数割当が隣接の基地局の状態情報を読み出す。
【００２０】
ステップＳ２２５で、呼び出し制御プロセッサは、現在のアクティブセットの周波数割当が隣接の基地局でアクティブされているかの如何を判断して、もしアクティブされていなければ、ステップＳ２４５に、アクティブされていれば、ステップＳ２３０に進行する。
【００２１】
ステップＳ２３０で、呼び出し制御プロセッサは、移動局が現在受信するパイロットチャネルの擬似雑音（Ｐｓｅｕｄｏ  Ｎｏｉｓｅ）及び強度を報告しろというメッセージであるＰＳＭＲＯ（Ｐｉｌｏｔ  Ｓｔｒｅｎｇｔｈ  Ｍｅａｓｕｒｅｍｅｎｔ  Ｒｅｑｕｅｓｔ  Ｏｒｄｅｒ）を移動局に伝送する。
【００２２】
ステップＳ２３５で、移動局は、パイロット強度測定メッセージであるＰＳＭＭ（Ｐｉｌｏｔ  Ｓｔｒｅｎｇｔｈ  Ｍｅａｓｕｒｅｍｅｎｔ  Ｍｅｓｓａｇｅ）に応じてパイロット強度順に多数の基地局を整列して上位の３個の基地局を選択する。
【００２３】
ステップＳ２４０で、呼び出し制御プロセッサは、アクティブされた基地局には、ＰＵＦパルスを受信する準備を指示し、残りのアクティブされていない２個の基地局には、新しくチャネルを割当て、移動局からＰＵＦパルスを受信しろという指示をする。
【００２４】
ステップＳ２４５で、移動局は、３個の全ての基地局で利用可能な周波数割当（ＦＡ＝Ｆｒｅｑｕｅｎｃｙ  Ａｓｓｉｇｎｍｅｎｔ）を検索して候補周波数検索要求メッセージであるＣａｎｄｉｄａｔｅ  Ｆｒｅｑｕｅｎｃｙ  Ｓｅａｒｃｈ  Ｒｅｑｕｅｓｔ  Ｍｅｓｓａｇｅを伝送する。
【００２５】
ステップＳ２５０で、移動局は、検索結果に応じて多数の基地局をパイロット強度順に整列して上位の３個の基地局を選択する。
【００２６】
ステップＳ２５５で、選択された３個の基地局の状態情報を読み出す。
【００２７】
ステップＳ２６０で、現在周波数割当が３個の基地局全部に利用可能であるかを検査して利用不可能であれば、ステップＳ２６５に進行し、利用可能であれば、ステップＳ２４０に進行する。
【００２８】
ステップＳ２６５で、呼び出し制御プロセッサは、選択された３個の基地局で全部利用可能な周波数割当情報を選択された３個の基地局に伝達してＰＵＦチャネルを割当てるように要請し、ＰＵＦパルスの受信を準備するように指示する。
【００２９】
図４は、本発明に係る現在の周波数割当でＰＵＦを実行する場合の呼処理方法を説明するためのフローチャートである。
【００３０】
ステップＳ３１０で、位置情報センター（ＬＳＣ）は、移動交換機（ＭＳＣ）に移動局の位置情報を要求するＬＯＣ＿ＲＥＱメッセージを伝送する。
【００３１】
ステップＳ３１５で、移動交換機は、呼び出し制御プロセッサで同じメッセージを伝送し、呼び出し制御プロセッサは、現在のアクティブセットが３個の基地局に跨っているかを調べて、もし跨っていれば、ステップＳ３２０ないしＳ３３５を実行しない。
【００３２】
しかし、アクティブセットが３個の基地局に跨っていなくて、現在アクティブセットに対する周波数割当が全ての隣接基地局で利用可能であるならば、ステップＳ３２０で、呼び出し制御プロセッサは、ＴＳＢ（Ｔｒａｎｓｃｏｄｅｒ  Ｓｅｌｅｃｔｏｒ  Ｂａｎｋ）にＰＳ＿ＲＥＱ＿ＣＳメッセージを送信して移動局の現在受信するパイロット強度を測定することを要求する。
【００３３】
ステップＳ３２５で、ＴＳＢは、パイロット強度の測定を要求するメッセージであるＰＳＭＲＯ（Ｐｉｌｏｔ  Ｓｔｒｅｎｇｔｈ  Ｍｅａｓｕｒｅｍｅｎｔ  Ｒｅｑｕｅｓｔ  Ｏｒｄｅｒ）を移動局に伝送する。
【００３４】
ステップＳ３３０で、移動局は、パイロット強度測定結果が含まれたメッセージであるＰＳＭＭ（Ｐｉｌｏｔ  Ｓｔｒｅｎｇｔｈ  Ｍｅａｓｕｒｅｍｅｎｔ  Ｍｅｓｓａｇｅ）をＴＳＢに伝送する。
【００３５】
ステップＳ３３５で、ＴＳＢは、パイロット強度測定結果が含まれたメッセージであるＰＳＭＭ＿ＳＣを呼び出し制御プロセッサに伝送する。
【００３６】
ステップＳ３４０で、呼び出し制御プロセッサは、ＰＵＦ＿ＣＨ＿ＡＬＬＯＣ＿ＣＢメッセージを一つ以上のＢＣＰに送信する。ＰＵＦ＿ＣＨ＿ＡＬＬＯＣ＿ＣＢに応じて、ＣＣＰは、パイロット測定結果に基づいて多数の基地局をパイロット強度順に整列し、上位３個の基地局を選択した後、現在アクティブである基地局には、そこに既に割当てられたチャネル要素（ＣＥ＝Ｃｈａｎｎｅｌ  Ｅｌｅｍｅｎｔ）がパルス受信を準備しなければならないことを要請し、アクティブではない隣接の基地局には新しくＰＵＦ用チャネルを割当てる。
【００３７】
ステップＳ３４５で、ＢＣＰは、一つ以上のチャネル要素（Ｃｈａｎｎｅｌ  Ｅｌｅｍｅｎｔ＝ＣＥ）にＰＵＦ＿ＡＳＳＩＧＮメッセージを送信する。ＰＵＦ＿ＡＳＳＩＧＮメッセージに基づいて基地局に新しくＰＵＦ用チャネル要素（ＣＥ）を割当てるか、ＢＣＰが既存ＣＥにＰＵＦパルス受信を指示する。
【００３８】
ステップＳ３５０で、チャネル要素（ＣＥ）は、ＰＵＦ＿ＳＥＴＵＰメッセージを介してＰＵＦパルスを受信する準備ができたことをＢＣＰに知らせる。
【００３９】
ステップＳ３５５で、ＢＣＰは、ＰＵＦ＿ＣＨ＿ＡＬＬＯＣ＿ＲＥＳ＿ＢＣメッセージを介してＰＵＦパルス受信準備及びチャネル割当が終ったことをＣＣＰに知らせる。
【００４０】
ステップＳ３６０で、ＣＣＰは、ＰＵＦ＿ＲＥＱ＿ＣＳメッセージを介してＰＵＦメッセージを移動局に伝送することを要請する。
【００４１】
ステップＳ３６５で、ＴＳＢは、ＰＵＦメッセージを移動局に送信する。
【００４２】
ステップＳ３７０で、移動局は、所定のパラメータ（Ｐａｒａｍｅｔｅｒ）を利用してＰＵＦ  ａｔｔｅｍｐｔを行う。
【００４３】
ステップＳ３７５で、ＰＵＦパルスを受信した３個の基地局の各チャネル要素（Ｃｈａｎｎｅｌ  Ｅｌｅｍｅｎｔ）は、ＲＴＤ（Ｒｏｕｎｄ  Ｔｒｉｐ  Ｄｅｌａｙ）値、受信電力、受信時のＴｉｍｅ  Ｓｔａｍｐなどを含んだＰＵＦ＿ＲＥＰメッセージをＢＣＰに伝達する。
【００４４】
ステップＳ３８０で、ＢＣＰは、ＰＵＦ＿ＲＥＰメッセージと同じ情報を有するＰＵＦ＿ＲＥＰＯＲＴ＿ＢＣメッセージをＣＣＰに送信する。
【００４５】
ステップＳ３８５で、ＣＣＰは、ＰＵＦ＿ＲＥＰメッセージと同じ情報を有するＬＯＣ＿ＲＥＰメッセージを移動交換機（ＭＳＣ）に送信する。
【００４６】
ステップＳ３９０で、移動交換機（ＭＳＣ）は、位置情報を含むＬＯＣ＿ＲＥＰメッセージを位置情報センター（ＬＳＣ）に送信する。
【００４７】
図５は、本発明に係る周波数割当を利用してＰＵＦを実行する場合の呼処理方法を示すフローチャートである。すなわち、図５は、移動局の位置を把握することに参加する基地局が現在周波数割当で動作できない場合においてＰＵＦを実行する時の呼処理方法を示す。
【００４８】
ステップＳ４１０で、位置情報センター（ＬＳＣ）は、移動交換機に移動局の位置情報を要求するＬＯＣ−ＲＥＱメッセージを送信する。
【００４９】
移動交換機（ＭＳＣ）は、同じメッセージをＣＣＰに送信し、ＣＣＰは、現在の呼処理アクティブセットが３個の基地局に跨っているかを検査して、もしアクティブセットが３個の基地局に跨っていれば、ステップＳ４２０ないしＳ４３５を実行しない。
【００５０】
しかし、３個の基地局に跨っていなくて現在アクティブセットの周波数割当が隣接した基地局中でいずれか一つでも利用不可能であるならば、ステップＳ４２０で、ＣＣＰは、ＣＦＳ＿ＲＥＱ＿ＣＳメッセージをＴＳＢ（ｔｒａｎｓｃｏｄｅｒ  ｓｅｌｅｃｔｏｒ  ｂａｎｋ）に送信して利用可能な周波数割当を選定して候補周波数を検索することを要求する。
【００５１】
ステップＳ４２５で、ＴＳＢは、Ｃａｎｄｉｄａｔｅ  Ｆｒｅｑｕｅｎｃｙ  Ｓｅａｒｃｈ  Ｒｅｑｕｅｓｔ  Ｍｅｓｓａｇｅを移動局に伝送して候補周波数検索を要求する。
【００５２】
ステップＳ４３０で、移動局は、周波数検索結果が含まれたＣａｎｄｉｄａｔｅ  Ｆｒｅｑｕｅｎｃｙ  Ｓｅａｒｃｈ  Ｒｅｐｏｒｔ  ＭｅｓｓａｇｅをＴＳＢに送信する。
【００５３】
ステップＳ４３５で、ＴＳＢは、候補周波数検索結果を含むＣＦＳ＿ＲＥＰ＿ＳＣメッセージをＣＣＰに伝達する。
【００５４】
ステップＳ４４０で、ＣＣＰは、ＰＵＦ＿ＣＨ＿ＡＬＬＯＣ＿ＣＢメッセージを一つ以上のＢＣＰに伝達する。
【００５５】
ＰＵＦ＿ＣＨ＿ＡＬＬＯＣ＿ＣＢメッセージに応じて、ＣＣＰは、パイロット強度測定結果を利用して多数の基地局をパイロット強度順に整列して上位３個の基地局を選択した後、選択された３個の基地局の周波数割当が選択された３個の基地局全部に利用可能であるかを検査し、利用が不可能であるならば、３個の基地局全部に新しいＰＵＦ用チャネルを割当て、ＰＵＦパルス受信の準備を要求する。
【００５６】
ステップＳ４４５で、ＢＣＰは、ＰＵＦ＿ＡＳＳＩＧＮメッセージを一つ以上のチャネル要素に伝送する。ＰＵＦ＿ＡＳＳＩＧＮメッセージに応じて、新しい周波数割当にＰＵＦ用チャネル要素を割当て上記チャネル要素にＰＵＦパルス受信を指示する。
【００５７】
ステップＳ４５０で、チャネル要素は、ＰＵＦ＿ＳＥＴＵＰメッセージを送信してＰＵＦパルスを受信する準備が終ったことをＢＣＰに知らせる。
【００５８】
ステップＳ４５５で、ＢＣＰは、ＰＵＦ＿ＣＨ＿ＡＬＬＯＣ＿ＲＥＳ＿ＢＣメッセージを介してチャネル割当とＰＵＦパルス受信準備が終ったことをＣＣＰに知らせる。
【００５９】
ステップＳ４６０で、ＣＣＰは、ＰＵＦ＿ＲＥＱ＿ＣＳメッセージを介して移動局にＰＵＦメッセージを伝送するようにＴＳＢに要請する。
【００６０】
ステップＳ４６５で、ＴＳＢは、ＰＵＦメッセージを移動局に伝送する。
【００６１】
ステップＳ４７０で、移動局は、決められたパラメータ（ｐａｒａｍｅｔｅｒ）を利用してＰＵＦ  Ａｔｔｅｍｐｔを実施する。
【００６２】
ステップＳ４７５で、ＰＵＦパルスを受信した３個の基地局のチャネル要素は、ＲＴＤ（Ｒｏｕｎｄ  Ｔｒｉｐ  Ｄｅｌａｙ）値、受信電力、受信時のＴｉｍｅ  Ｓｔａｍｐなどを含むＰＵＦ＿ＲＥＰメッセージをＢＣＰに伝達する。
【００６３】
ステップＳ４８０で、ＢＣＰは、ＰＵＦ＿ＲＥＰメッセージと同じ情報を有するＰＵＦ＿ＲＥＰＯＲＴ＿ＢＣメッセージをＣＣＰに送信する。
【００６４】
ステップＳ４８５で、ＣＣＰは、ＰＵＦ＿ＲＥＰメッセージと同じ情報を有するＬＯＣ＿ＲＥＰメッセージを移動交換機（ＭＳＣ）に送信する。
【００６５】
ステップＳ４９０で、移動交換機（ＭＳＣ）は、位置情報を含むＬＯＣ＿ＲＥＰメッセージを位置サービスセンター（ＬＳＣ）に送信する。
【００６６】
なお、本発明の技術思想は、上記好ましい実施の形態によって具体的に記述されたが、上記した実施の形態はその説明のためのものであって、その制限のためのものでないことに留意されるべきである。また、本発明の技術分野の通常の専門家であるならば、本発明の技術思想の範囲内で種々の実施の形態が可能であることを理解されるべきである。
【００６７】
【発明の効果】
上述したように、本発明による基地局システムのメッセージを利用した移動局位置把握方法は、移動局の位置把握のために、移動局と最も近い３個の基地局を選択することによって、移動局の位置を把握することに最適の情報を提供することができ、このために、パイロット検索を先にすることによって、システム資源を浪費することなく、效率的に使用し得ることにその効果がある。また、ＰＵＦを利用して多様な付加サービスを支援することができる故に、加入者に多様な付加サービスを提供することができるという優れた結果が得られる。
【図面の簡単な説明】
【図１】本発明に係る移動電話システムにおける移動局の位置把握方法を説明するためのブロック図である。
【図２】本発明に係る移動局からＰＵＦ（Ｐｏｗｅｒ  Ｕｐ  Ｆｕｎｃｔｉｏｎ）パルスを受信するための３個の基地局を選択する方法を示すフローチャートである。
【図３】本発明に係る移動局からＰＵＦ（Ｐｏｗｅｒ  Ｕｐ  Ｆｕｎｃｔｉｏｎ）パルスを受信するための３個の基地局を選択する方法を示すフローチャートである。
【図４】本発明に係る現在の周波数割当を利用してＰＵＦを実行する場合の呼処理方法を示すフローチャートである。
【図５】本発明に係る他の周波数割当を利用してＰＵＦを実行する場合の呼処理方法を示すフローチャートである。
【符号の説明】
１０  位置サービスセンター
２０  移動交換機
３０  制御局
４０  基地局
５０  移動局
【図１】
0003730875.tif 000002
【図２】
0003730875.tif 000003
【図３】
0003730875.tif 000004
【図４】
0003730875.tif 000005
【図５】
0003730875.tif 000006